(57)【要約】【課題】ブルートゥース（登録商標）メッシュネットワークを構築することができるシステムを提供することにある。【解決手段】ブルートゥース（登録商標）の無線通信手段を有するノードと、２つのノードの一方が他方を選択する過程を経て確立されるブルートゥース（登録商標）の仮想的な専用通信路を有するブルートゥース（登録商標）のメッシュネットワークと、ノードをなす第１ないし第４ノードが構築するメッシュネットワークの複数の目を有するメッシュネットワークのメッシュ部と、を備え、メッシュ部の複数の目を構築する第１ないし第４ノードが、メッシュ部の目の構築に関わる一斉送信情報を無線通信手段から送信させる３つのノードを、メッシュ部の目の構築対象とするメッシュ部の目の構築手段を備えることを特徴とする。【選択図】図１
2020198643.tif 000002
【特許請求の範囲】
【請求項１】
ブルートゥース（登録商標）の無線通信手段を有するノードと、
２つの前記ノードの一方が他方を選択する過程を経て確立される前記ブルートゥース（登録商標）の仮想的な専用通信路を有する前記ブルートゥース（登録商標）のメッシュネットワークと、
前記ノードをなす第１ないし第４ノードが構築する前記メッシュネットワークの複数の目を有する前記メッシュネットワークのメッシュ部と、を備え、
前記メッシュ部の複数の目を構築する前記第１ないし第４ノードが、前記メッシュ部の目の構築に関わる一斉送信情報を前記無線通信手段から送信させる３つの前記ノードを、前記メッシュ部の目の構築対象とする前記メッシュ部の目の構築手段を備えるシステムに用いることを特徴とする第１ノード。
【請求項２】
請求項１に記載のシステムに用いる前記第１ノードへのビーコン送信手段を有する無線デバイスを備える、或いは、前記システムに用いる前記第１ノードからのビーコン受信手段を有する無線デバイスを備えるシステムに用いることを特徴とする無線デバイス。
【請求項３】
ブルートゥース（登録商標）の無線通信手段を有するノードと、
２つの前記ノードの一方が他方を選択する過程を経て確立される前記ブルートゥース（登録商標）の仮想的な専用通信路を有する前記ブルートゥース（登録商標）のメッシュネットワークと、
前記ノードをなす第１ないし第４ノードが構築する前記メッシュネットワークの複数の目を有する前記メッシュネットワークのメッシュ部と、を備えるシステムに用いる、
前記メッシュ部の複数の目を構築する前記第１ないし第４ノードは、前記メッシュ部の目の構築に関わる一斉送信情報を前記無線通信手段から送信させる３つの前記ノードを、前記メッシュ部の目の構築対象とする前記メッシュ部の目の構築過程を含むことを特徴とする方法。
【請求項４】
プロセッサを、
請求項１に記載のシステムに用いる前記構築手段として機能させるための制御プログラム。
【請求項５】
請求項１に記載のシステムに用いる前記構築手段を備えることを特徴とする集積回路。
【発明の詳細な説明】
【技術分野】
【０００１】
本発明は、ブルートゥース（登録商標）のメッシュネットワークに関する。
【背景技術】
【０００２】
従来、スキャタネット方法が知られる。例えば、特開２００３−５１６０９５号公報に記載の技術は、スキャタネットにおけるピコネット間通信をスケジュールするシステムと方法とが開示され、第１のネットワークノードは容量割当てメッセージを第２のネットワークノードに送信し、そのメッセージは第２の端末から要求された容量を表すパラメータと第１の端末における利用可能な容量の表記とを含み、第２の端末はマッチング機能を実行して第１の端末との通信セションに割当て可能な相互に受け入れ可能な利用可能な容量があるかどうかを判断する技術が開示されている。
【先行技術文献】
【特許文献】
【０００３】
【特許文献１】特開２００３−５１６０９５号公報
【発明の概要】
【発明が解決しようとする課題】
【０００４】
ところで、従来の技術は、（マスタの特徴である）一斉送信情報を送信させる３つのノードをメッシュ部の目の構築対象とすることができないと言った問題があった。
【０００５】
そこで、本発明の目的は、（マスタの特徴である）一斉送信情報を送信させる３つのノードをメッシュ部の目の構築対象とすることができるシステム及び方法を提供することにある。
【課題を解決するための手段】
【０００６】
上記課題を解決するために本発明のシステムは、ブルートゥース（登録商標）の無線通信手段を有するノードと、２つの前記ノードの一方が他方を選択する過程を経て確立される前記ブルートゥース（登録商標）の仮想的な専用通信路を有する前記ブルートゥース（登録商標）のメッシュネットワークと、前記ノードをなす第１ないし第４ノードが構築する前記メッシュネットワークの複数の目を有する前記メッシュネットワークのメッシュ部と、を備え、前記メッシュ部の複数の目を構築する前記第１ないし第４ノードが、前記メッシュ部の目の構築に関わる一斉送信情報を前記無線通信手段から送信させる３つの前記ノードを、前記メッシュ部の目の構築対象とする前記メッシュ部の目の構築手段を備えることを特徴とする。
【発明の効果】
【０００７】
本発明によれば、システム及び方法は、（マスタの特徴である）一斉送信情報を送信させる３つのノードをメッシュ部の目の構築対象とすることにより、メッシュ部の複数の目を構築する第１ないし第４ノードを、マスタをなすノードに限定することができる。
【図面の簡単な説明】
【０００８】
【図１】実施形態のスキャタネットの構成図の一例である。
【発明を実施するための形態】
【０００９】
以下、本発明の実施の一形態について詳細に説明する。
【００１０】
図１は実施形態のスキャタネットの構成図の一例である。例えば、スキャタネットは、ピコネット（図１の点線内）を構築するＢＴ（ブルートゥース：登録商標）のマスタＭ、ピコネットに参加する少なくとも１つ以上のＢＴのスレーブＳ、ＢＴパケットを送受信する図示させていない情報処理部、および各ポートがマスタＭとスレーブＳと情報処理部に繋がり、ＢＴパケットを受信して他のポートへ転送するスイッチ部Ｓｗを備えるＢＴユニット１と、スレーブＳを備え、該スレーブＳを介してＢＴパケットを送受信するＢＴユニット１に接続する周辺機器をなすＢＴユニット２と、スレーブＳを備え、該スレーブＳを介してＢＴパケットを送受信するスキャタネットの端末をなすＢＴユニット３と、から構成され、ＢＴユニット１が複数存在し、１つのピコネットに少なくとも１つ以上のスレーブＳが参加可能であり、ＢＴユニット１のスレーブＳが他のＢＴユニット１のマスタＭが構築したピコネットに参加してピコネット内通信を行うことで、ピコネット同士が網目構造に接続されたスキャタネットを構築し、ＢＴユニット２、３のスレーブＳが何れか１つのピコネットに参加してピコネット内通信を行いピコネット内で複数のＢＴユニット１〜３が共存する。また、三つのスレーブＳと一つのスイッチ部Ｓｗで構成されるＢＴユニット３を設けてもよい。
【００１１】
ＢＴユニット１〜３などの装置は、ＣＰＵ、ＲＯＭ、ＲＡＭなどを有するコンピュータ部を備えている。ＢＴユニット１のマスタＭとスレーブＳは、無線送受信部を共有している。
【００１２】
スイッチ部Ｓｗは、Ｌ３スイッチを構成し、二つ又は三つのピコネットの経路管理をすべて行うＦＤＢ（Forwarding DataBase）などを備え、各ポートから受信したＢＴパケットを夫々のＦＤＢなどに照らして他のポートへ転送することとなる。また、二つ又は三つのピコネットの中継点を構成し、該ピコネットから受信した各ＢＴパケットをＦＤＢなどに照らして、転送先となるＢＴユニット１、３を判定し、該ＢＴユニット１、３を該ＢＴパケットの転送先に指定して該ＢＴユニット１、３側のポートに転送し、ＢＴパケットの転送を受けたマスタＭまたはスレーブＳがＢＴパケットを該ＢＴユニット１、３に送信することとなる。
【００１３】
ＢＴユニット１は、自己の識別情報などをピコネット識別情報とし、該ピコネット識別情報および自己のスレーブＳが参加したピコネットのピコネット識別情報を含むビーコンを自己のマスタＭから他のＢＴユニット１などに向けてブロードキャスト送信させるとともに、他のＢＴユニット１から受信したビーコンを基に自己のスレーブＳを参加させるピコネットを選んでそこに参加させて、自己を含む３つのＢＴユニット１の環が他の環と連環する様に制御する。
【００１４】
具体的には、ＢＴユニット１ａの場合に、受信したビーコンを基に一方のスレーブＳが、自己を含む３つのＢＴユニット１の環が他の環と連環をなす条件に該当するＢＴユニット１ｂが構築したピコネットを選んで参加し、自己を含む３つのＢＴユニット１ａ、１ｂ、１ｃを環にさせるとともに、受信したビーコンを基に他方のスレーブＳが自己を含む３つのＢＴユニット１が、連環をなす条件に該当するＢＴユニット１ｄが構築したピコネットを選んで参加し、自己を含む３つのＢＴユニット１ａ、１ｂ、１ｄを連環させることとなる。ここで、ＢＴユニット１は、自己を含む３つのＢＴユニット１が連環を構成する適当なピコネットが見当たらない場合に、自己が接続していない他のＢＴユニット１が構築した任意のピコネットを見付けてそこに参加することとなる。
【００１５】
上記実施形態において、スキャタネットは、ＢＴユニット１において、自己が構築したピコネットと自己が参加した他のピコネットの識別情報を他のＢＴユニット１に通知する手段と、該他のＢＴユニット１から識別情報を取得し自己を含む３つのＢＴユニット１の環が他の環と連環させる様に自己が他のピコネットに参加する手段を備えることを特徴としてもよい。また、ＢＴユニット１〜３がマスタＭ、スイッチ部Ｓｗ、スレーブＳなどを備えた通信用集積回路を備え、該通信用集積回路によりマスタＭ、スイッチ部Ｓｗ、スレーブＳなどが制御されてＢＴユニット１〜３を実現する構成としてもよい。また、同一エリア内でピコネットの乱立を防ぐために、各ＢＴユニット１が同一エリア内のピコネットの数に応じて、ＢＴユニット３として機能するようにしてもよい。
【００１６】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の各装置と同等の作用および効果が得られる。
【００１７】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１８】
また、インターネット、ＬＡＮ等のネットワークシステムを介して制御プログラムをダウンロードし、インストールして実行するように構成することも可能である。
【符号の説明】
【００１９】
１〜３…ＢＴユニット，Ｍ…マスタ，Ｓ…スレーブ，Ｓｗ…スイッチ部
【図１】
2020198643.tif 000003
【手続補正書】
【提出日】令和2年9月20日(2020.9.20)
【手続補正１】
【補正対象書類名】特許請求の範囲
【補正対象項目名】全文
【補正方法】変更
【補正の内容】
【特許請求の範囲】
【請求項１】
ブルートゥース（登録商標）の無線通信手段を有し、一斉送信を行う一斉送信ノードと、
２つの前記一斉送信ノードの一方が他方を選択する過程を経て確立される前記ブルートゥース（登録商標）の仮想的な専用通信路を有する前記ブルートゥース（登録商標）のメッシュネットワークと、
前記一斉送信ノードを構成する第１ないし第４一斉送信ノードが構築する前記メッシュネットワークの複数の目を有し、前記一斉送信ノードにより構成される前記メッシュネットワークのメッシュ部と、を備え、
前記一斉送信ノードが、一斉送信情報を送信する前記メッシュ部の目の構築手段を備えるシステムに用いることを特徴とする一斉送信ノード。
【請求項２】
請求項１に記載のシステムに用いる前記一斉送信ノードへのビーコン送信手段を有する無線デバイスを備える、或いは、前記システムに用いる前記一斉送信ノードからのビーコン受信手段を有する無線デバイスを備えるシステムに用いることを特徴とする無線デバイス。
【請求項３】
ブルートゥース（登録商標）の無線通信手段を有し、一斉送信を行う一斉送信ノードと、
２つの前記一斉送信ノードの一方が他方を選択する過程を経て確立される前記ブルートゥース（登録商標）の仮想的な専用通信路を有する前記ブルートゥース（登録商標）のメッシュネットワークと、
前記一斉送信ノードを構成する第１ないし第４一斉送信ノードが構築する前記メッシュネットワークの複数の目を有し、前記一斉送信ノードにより構成される前記メッシュネットワークのメッシュ部と、を備えるシステムに用いる、
前記一斉送信ノードが、一斉送信情報を送信する前記メッシュ部の目の構築過程を含むことを特徴とする方法。
【請求項４】
プロセッサを、
請求項１に記載のシステムに用いる前記構築手段として機能させるための制御プログラム。
【請求項５】
請求項１に記載のシステムに用いる前記構築手段を備えることを特徴とする集積回路。
【手続補正２】
【補正対象書類名】明細書
【補正対象項目名】０００４
【補正方法】変更
【補正の内容】
【０００４】
ところで、従来の技術は、（マスタの特徴である）一斉送信を行う第１ないし第４一斉送信ノードがブルートゥース（登録商標）のメッシュネットワークのメッシュ部の複数の目を構築することができないと言った問題があった。
【手続補正３】
【補正対象書類名】明細書
【補正対象項目名】０００５
【補正方法】変更
【補正の内容】
【０００５】
そこで、本発明の目的は、（マスタの特徴である）一斉送信を行う第１ないし第４一斉送信ノードがブルートゥース（登録商標）のメッシュネットワークのメッシュ部の複数の目を構築することができるシステム及び方法を提供することにある。
【手続補正４】
【補正対象書類名】明細書
【補正対象項目名】０００６
【補正方法】変更
【補正の内容】
【０００６】
上記課題を解決するため本発明のシステムは、ブルートゥース（登録商標）の無線通信手段を有し、一斉送信を行う一斉送信ノードと、２つの前記一斉送信ノードの一方が他方を選択する過程を経て確立される前記ブルートゥース（登録商標）の仮想的な専用通信路を有する前記ブルートゥース（登録商標）のメッシュネットワークと、前記一斉送信ノードを構成する第１ないし第４一斉送信ノードが構築する前記メッシュネットワークの複数の目を有し、前記一斉送信ノードにより構成される前記メッシュネットワークのメッシュ部と、を備え、前記一斉送信ノードが、一斉送信情報を送信する前記メッシュ部の目の構築手段を備えることを特徴とする。
【手続補正５】
【補正対象書類名】明細書
【補正対象項目名】０００７
【補正方法】変更
【補正の内容】
【０００７】
本発明によれば、システム及び方法は、（マスタの特徴である）一斉送信を行う第１ないし第４一斉送信ノードがブルートゥース（登録商標）のメッシュネットワークのメッシュ部の複数の目を構築することができる。
【手続補正書】
【提出日】令和2年9月22日(2020.9.22)
【手続補正１】
【補正対象書類名】特許請求の範囲
【補正対象項目名】全文
【補正方法】変更
【補正の内容】
【特許請求の範囲】
【請求項１】
ブルートゥース（登録商標）の無線通信手段を有し、前記無線通信手段が一斉送信を行う一斉送信ノードと、
２つの前記一斉送信ノードの一方が他方を選択する過程を経て確立される前記ブルートゥース（登録商標）の仮想的な専用通信路を有する前記ブルートゥース（登録商標）のメッシュネットワークと、
４つの前記一斉送信ノードの前記無線通信手段が前記一斉送信を行い４つの前記一斉送信ノードで構築される前記メッシュネットワークの複数の目を有し、前記メッシュネットワークの前記一斉送信ノードでなる一斉送信ノードメッシュ部と、を備え、
前記一斉送信ノードの前記無線通信手段が、前記一斉送信を行う前記一斉送信ノードメッシュ部の目の構築手段を備えるシステムに用いることを特徴とする一斉送信ノード。
【請求項２】
請求項１に記載のシステムに用いる前記一斉送信ノードへのビーコン送信手段を有する無線デバイスを備える、或いは、前記システムに用いる前記一斉送信ノードからのビーコン受信手段を有する無線デバイスを備えるシステムに用いることを特徴とする無線デバイス。
【請求項３】
ブルートゥース（登録商標）の無線通信手段を有し、前記無線通信手段が一斉送信を行う一斉送信ノードと、
２つの前記一斉送信ノードの一方が他方を選択する過程を経て確立される前記ブルートゥース（登録商標）の仮想的な専用通信路を有する前記ブルートゥース（登録商標）のメッシュネットワークと、
４つの前記一斉送信ノードの前記無線通信手段が前記一斉送信を行い４つの前記一斉送信ノードで構築される前記メッシュネットワークの複数の目を有し、前記メッシュネットワークの前記一斉送信ノードでなる一斉送信ノードメッシュ部と、を備えるシステムに用いる、
前記一斉送信ノードの前記無線通信手段は、前記一斉送信を行う前記一斉送信ノードメッシュ部の目の構築過程を含むことを特徴とする方法。
【請求項４】
プロセッサを、
請求項１に記載のシステムに用いる前記構築手段として機能させるための制御プログラム。
【請求項５】
請求項１に記載のシステムに用いる前記構築手段を備えることを特徴とする集積回路。
【手続補正２】
【補正対象書類名】明細書
【補正対象項目名】０００４
【補正方法】変更
【補正の内容】
【０００４】
ところで、従来の技術は、４つの一斉送信ノードの無線通信手段が（マスタの特徴である）一斉送信を行い４つの一斉送信ノードで構築されるメッシュネットワークの複数の目を有することができないと言った問題があった。
【手続補正３】
【補正対象書類名】明細書
【補正対象項目名】０００５
【補正方法】変更
【補正の内容】
【０００５】
そこで、本発明の目的は、４つの一斉送信ノードの無線通信手段が（マスタの特徴である）一斉送信を行い４つの一斉送信ノードで構築されるメッシュネットワークの複数の目を有することができるシステムを提供することにある。
【手続補正４】
【補正対象書類名】明細書
【補正対象項目名】０００６
【補正方法】変更
【補正の内容】
【０００６】
上記課題を解決するため本発明のシステムは、ブルートゥース（登録商標）の無線通信手段を有し、前記無線通信手段が一斉送信を行う一斉送信ノードと、２つの前記一斉送信ノードの一方が他方を選択する過程を経て確立される前記ブルートゥース（登録商標）の仮想的な専用通信路を有する前記ブルートゥース（登録商標）のメッシュネットワークと、４つの前記一斉送信ノードの前記無線通信手段が前記一斉送信を行い４つの前記一斉送信ノードで構築される前記メッシュネットワークの複数の目を有し、前記メッシュネットワークの前記一斉送信ノードでなる一斉送信ノードメッシュ部と、を備え、前記一斉送信ノードの前記無線通信手段が、前記一斉送信を行う前記一斉送信ノードメッシュ部の目の構築手段を備えることを特徴とする。
【手続補正５】
【補正対象書類名】明細書
【補正対象項目名】０００７
【補正方法】変更
【補正の内容】
【０００７】
本発明によれば、システムは、４つの一斉送信ノードの無線通信手段が（マスタの特徴である）一斉送信を行い４つの一斉送信ノードで構築されるメッシュネットワークの複数の目を有することができる。
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
ブルートゥース（登録商標）の無線通信手段を有し、前記無線通信手段が一斉送信を行う一斉送信ノードと、
２つの前記一斉送信ノードの一方が他方を選択する過程を経て確立される前記ブルートゥース（登録商標）の仮想的な専用通信路を有する前記ブルートゥース（登録商標）のメッシュネットワークと、
前記メッシュネットワークの複数の目でなり、前記複数の目のすべてが前記一斉送信ノードでなる一斉送信ノードメッシュ部と、を備え、
前記一斉送信ノードが、前記無線通信手段により前記一斉送信を行う前記一斉送信ノードメッシュ部の目の構築手段を備えるシステムに用いることを特徴とする一斉送信ノード。
【請求項２】
ブルートゥース（登録商標）の無線通信手段を有し、前記無線通信手段が一斉送信を行う一斉送信ノードと、
２つの前記一斉送信ノードの一方が他方を選択する過程を経て確立される前記ブルートゥース（登録商標）の仮想的な専用通信路を有する前記ブルートゥース（登録商標）のメッシュネットワークと、
前記メッシュネットワークの複数の目でなり、前記複数の目のすべてが前記一斉送信ノードでなる一斉送信ノードメッシュ部と、
前記一斉送信ノードへのビーコン送信手段または前記一斉送信ノードからのビーコン受信手段を有する無線デバイスと、を備え、
前記一斉送信ノードが、前記無線通信手段により前記一斉送信を行う前記一斉送信ノードメッシュ部の目の構築手段を備えるシステムに用いることを特徴とする無線デバイス。
【請求項３】
ブルートゥース（登録商標）の無線通信手段を有し、前記無線通信手段が一斉送信を行う一斉送信ノードと、
２つの前記一斉送信ノードの一方が他方を選択する過程を経て確立される前記ブルートゥース（登録商標）の仮想的な専用通信路を有する前記ブルートゥース（登録商標）のメッシュネットワークと、
前記メッシュネットワークの複数の目でなり、前記複数の目のすべてが前記一斉送信ノードでなる一斉送信ノードメッシュ部と、を備えるシステムに用いる、
前記一斉送信ノードは、前記無線通信手段により前記一斉送信を行う前記一斉送信ノードメッシュ部の目の構築過程を含むことを特徴とする方法。
【請求項４】
プロセッサを、
請求項１に記載のシステムに用いる前記構築手段として機能させるための制御プログラム。
【請求項５】
請求項１に記載のシステムに用いる前記構築手段を備えることを特徴とする集積回路。
【手続補正２】
【補正対象書類名】明細書
【補正対象項目名】０００４
【補正方法】変更
【補正の内容】
【０００４】
ところで、従来の技術は、メッシュネットワークの複数の目でなり、複数の目のすべてが一斉送信ノードでなる一斉送信ノードメッシュ部を備えることができないと言った問題があった。
【手続補正３】
【補正対象書類名】明細書
【補正対象項目名】０００５
【補正方法】変更
【補正の内容】
【０００５】
そこで、本発明の目的は、メッシュネットワークの複数の目でなり、複数の目のすべてが一斉送信ノードでなる一斉送信ノードメッシュ部を備えることができるシステムを提供することにある。
【手続補正４】
【補正対象書類名】明細書
【補正対象項目名】０００６
【補正方法】変更
【補正の内容】
【０００６】
上記課題を解決するため本発明のシステムは、ブルートゥース（登録商標）の無線通信手段を有し、前記無線通信手段が一斉送信を行う一斉送信ノードと、２つの前記一斉送信ノードの一方が他方を選択する過程を経て確立される前記ブルートゥース（登録商標）の仮想的な専用通信路を有する前記ブルートゥース（登録商標）のメッシュネットワークと、前記メッシュネットワークの複数の目でなり、前記複数の目のすべてが前記一斉送信ノードでなる一斉送信ノードメッシュ部と、を備え、前記一斉送信ノードが、前記無線通信手段により前記一斉送信を行う前記一斉送信ノードメッシュ部の目の構築手段を備えることを特徴とする。
【手続補正５】
【補正対象書類名】明細書
【補正対象項目名】０００７
【補正方法】変更
【補正の内容】
【０００７】
本発明によれば、システムは、一斉送信ノードメッシュ部の一斉送信ノードを、マスタをなすノードに限定することができる。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
ブルートゥース（登録商標）の無線通信手段が一斉送信を行う一斉送信ノードの２つの一方が他方を選択する過程を経て確立される前記ブルートゥース（登録商標）の仮想的な専用通信路を有する前記ブルートゥース（登録商標）の無線メッシュネットワークの複数の目を、前記一斉送信ノードのみでなす一斉送信ノードメッシュ部を備え、
前記一斉送信ノードメッシュ部の目を構築させる前記一斉送信ノード（以降、目構築一斉送信ノードと称する）が、前記無線通信手段により前記一斉送信を行う前記一斉送信ノードメッシュ部の目の構築手段を備えるシステムに用いることを特徴とする目構築一斉送信ノード。
【請求項２】
ブルートゥース（登録商標）の無線通信手段が一斉送信を行う一斉送信ノードの２つの一方が他方を選択する過程を経て確立される前記ブルートゥース（登録商標）の仮想的な専用通信路を有する前記ブルートゥース（登録商標）の無線メッシュネットワークの複数の目を、前記一斉送信ノードのみでなす一斉送信ノードメッシュ部を備えるシステムに用いられ、前記一斉送信ノードメッシュ部の目を構築させる前記一斉送信ノードは、前記無線通信手段により前記一斉送信を行い前記一斉送信ノードメッシュ部の目を構築させることを特徴とする方法。
【請求項３】
ブルートゥース（登録商標）の無線通信手段が一斉送信を行う一斉送信ノードの２つの一方が他方を選択する過程を経て確立される前記ブルートゥース（登録商標）の仮想的な専用通信路を有する前記ブルートゥース（登録商標）の無線メッシュネットワークの複数の目を、前記一斉送信ノードのみでなす一斉送信ノードメッシュ部と、
前記一斉送信ノードメッシュ部の目を構築させる前記一斉送信ノード（以降、目構築一斉送信ノードと称する）へのビーコン送信手段または前記目構築一斉送信ノードからのビーコン受信手段を有する無線デバイスと、を備え、
前記目構築一斉送信ノードが、前記無線通信手段により前記一斉送信を行い前記一斉送信ノードメッシュ部の目を構築させるシステムに用いることを特徴とする無線デバイス。
【請求項４】
プロセッサを、
請求項１に記載のシステムに用いる前記構築手段として機能させるための制御プログラム。
【請求項５】
請求項１に記載のシステムに用いる前記構築手段を備えることを特徴とする集積回路。
【手続補正２】
【補正対象書類名】明細書
【補正対象項目名】０００４
【補正方法】変更
【補正の内容】
【０００４】
ところで、従来の技術は、無線メッシュネットワークの複数の目を一斉送信ノードのみでなす一斉送信ノードメッシュ部を備えることができないと言った問題があった。
【手続補正３】
【補正対象書類名】明細書
【補正対象項目名】０００５
【補正方法】変更
【補正の内容】
【０００５】
そこで、本発明の目的は、無線メッシュネットワークの複数の目を一斉送信ノードのみでなす一斉送信ノードメッシュ部を備えることができるシステムを提供することにある。
【手続補正４】
【補正対象書類名】明細書
【補正対象項目名】０００６
【補正方法】変更
【補正の内容】
【０００６】
上記課題を解決するために本発明のシステムは、ブルートゥース（登録商標）の無線通信手段が一斉送信を行う一斉送信ノードの２つの一方が他方を選択する過程を経て確立される前記ブルートゥース（登録商標）の仮想的な専用通信路を有する前記ブルートゥース（登録商標）の無線メッシュネットワークの複数の目を、前記一斉送信ノードのみでなす一斉送信ノードメッシュ部を備え、前記一斉送信ノードメッシュ部の目を構築させる前記一斉送信ノード（以降、目構築一斉送信ノードと称する）が、前記無線通信手段により前記一斉送信を行う前記一斉送信ノードメッシュ部の目の構築手段を備えることを特徴とする。
【手続補正５】
【補正対象書類名】明細書
【補正対象項目名】０００７
【補正方法】変更
【補正の内容】
【０００７】
本発明によれば、システムは、無線メッシュネットワークの複数の目を一斉送信ノードのみでなす一斉送信ノードメッシュ部を備えることができる。
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
ブルートゥース（登録商標）メッシュネットワークの複数の目を、ブルートゥース（登録商標）通信手段が一斉送信を行う一斉送信ブルートゥース（登録商標）ノードのみで構築される一斉送信ブルートゥース（登録商標）ノードメッシュ部に、前記一斉送信ブルートゥース（登録商標）ノードの２つの一方が他方を選択し確立される一斉送信ブルートゥース（登録商標）ノードメッシュ部通信路と、
前記一斉送信ブルートゥース（登録商標）ノードメッシュ部を構成する前記一斉送信ブルートゥース（登録商標）ノード（以降、メッシュ部構成ノードと称する）が前記一斉送信を行い前記一斉送信ブルートゥース（登録商標）ノードメッシュ部の目を１つ以上構築させる一斉送信ブルートゥース（登録商標）ノードメッシュ部目構築手段と、を備えるシステムに用いることを特徴とするメッシュ部構成ノード。
【請求項２】
ブルートゥース（登録商標）メッシュネットワークの複数の目を、ブルートゥース（登録商標）通信手段が一斉送信を行う一斉送信ブルートゥース（登録商標）ノードのみで構築される一斉送信ブルートゥース（登録商標）ノードメッシュ部に、前記一斉送信ブルートゥース（登録商標）ノードの２つの一方が他方を選択し確立される一斉送信ブルートゥース（登録商標）ノードメッシュ部通信路を備えるシステムに用いられ、前記一斉送信ブルートゥース（登録商標）ノードメッシュ部を構成する前記一斉送信ブルートゥース（登録商標）ノードは、前記一斉送信を行い前記一斉送信ブルートゥース（登録商標）ノードメッシュ部の目を１つ以上構築させる一斉送信ブルートゥース（登録商標）ノードメッシュ部目構築過程を含むことを特徴とする方法。
【請求項３】
ブルートゥース（登録商標）メッシュネットワークの複数の目を、ブルートゥース（登録商標）通信手段が一斉送信を行う一斉送信ブルートゥース（登録商標）ノードのみで構築される一斉送信ブルートゥース（登録商標）ノードメッシュ部に、前記一斉送信ブルートゥース（登録商標）ノードの２つの一方が他方を選択し確立される一斉送信ブルートゥース（登録商標）ノードメッシュ部通信路と、
前記一斉送信ブルートゥース（登録商標）ノードメッシュ部を構成する前記一斉送信ブルートゥース（登録商標）ノード（以降、メッシュ部構成ノードと称する）が前記一斉送信を行い前記一斉送信ブルートゥース（登録商標）ノードメッシュ部の目を１つ以上構築させる一斉送信ブルートゥース（登録商標）ノードメッシュ部目構築手段と、
前記メッシュ部構成ノードへのビーコン送信手段または前記メッシュ部構成ノードからのビーコン受信手段を構成する無線デバイスと、を備えるシステムに用いることを特徴とする無線デバイス。
【請求項４】
プロセッサを、
請求項１に記載のシステムに用いる前記一斉送信ブルートゥース（登録商標）ノードメッシュ部目構築手段として機能させるための制御プログラム。
【請求項５】
請求項１に記載のシステムに用いる前記一斉送信ブルートゥース（登録商標）ノードメッシュ部目構築手段を備えることを特徴とする集積回路。
【手続補正３】
【補正対象書類名】明細書
【補正対象項目名】０００１
【補正方法】変更
【補正の内容】
【０００１】
本発明は、ブルートゥース（登録商標）メッシュネットワークに関する。
【手続補正４】
【補正対象書類名】明細書
【補正対象項目名】０００４
【補正方法】変更
【補正の内容】
【０００４】
ところで、従来の技術は、一斉送信ブルートゥース（登録商標）ノードメッシュ部に、一斉送信ブルートゥース（登録商標）ノードの２つの一方が他方を選択し確立される一斉送信ブルートゥース（登録商標）ノードメッシュ部通信路を備えることができないと言った問題があった。
【手続補正５】
【補正対象書類名】明細書
【補正対象項目名】０００５
【補正方法】変更
【補正の内容】
【０００５】
そこで、本発明の目的は、一斉送信ブルートゥース（登録商標）ノードメッシュ部に、一斉送信ブルートゥース（登録商標）ノードの２つの一方が他方を選択し確立される一斉送信ブルートゥース（登録商標）ノードメッシュ部通信路を備えることができるシステムを提供することにある。
【手続補正６】
【補正対象書類名】明細書
【補正対象項目名】０００６
【補正方法】変更
【補正の内容】
【０００６】
上記課題を解決するため本発明のシステムは、ブルートゥース（登録商標）メッシュネットワークの複数の目を、ブルートゥース（登録商標）通信手段が一斉送信を行う一斉送信ブルートゥース（登録商標）ノードのみで構築される一斉送信ブルートゥース（登録商標）ノードメッシュ部に、前記一斉送信ブルートゥース（登録商標）ノードの２つの一方が他方を選択し確立される一斉送信ブルートゥース（登録商標）ノードメッシュ部通信路と、前記一斉送信ブルートゥース（登録商標）ノードメッシュ部を構成する前記一斉送信ブルートゥース（登録商標）ノードが前記一斉送信を行い前記一斉送信ブルートゥース（登録商標）ノードメッシュ部の目を１つ以上構築させる一斉送信ブルートゥース（登録商標）ノードメッシュ部目構築手段と、を備えることを特徴とする。
【手続補正７】
【補正対象書類名】明細書
【補正対象項目名】０００７
【補正方法】変更
【補正の内容】
【０００７】
本発明によれば、システムは、一斉送信ブルートゥース（登録商標）ノードメッシュ部に、一斉送信ブルートゥース（登録商標）ノードの２つの一方が他方を選択し確立される一斉送信ブルートゥース（登録商標）ノードメッシュ部通信路を備えることができる。
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
ブルートゥース（登録商標）メッシュネットワークの複数の目を、ブルートゥース（登録商標）通信手段が一斉送信を行う一斉送信ブルートゥース（登録商標）ノードのみで構築させる一斉送信ブルートゥース（登録商標）ノードメッシュ部に、前記一斉送信ブルートゥース（登録商標）ノードの２つの一方が他方を選択し確立される一斉送信ブルートゥース（登録商標）ノードメッシュ部通信路と、
前記一斉送信ブルートゥース（登録商標）ノードメッシュ部を構成する前記一斉送信ブルートゥース（登録商標）ノード（以降、メッシュ部構成ノードと称する）が前記一斉送信を行い前記一斉送信ブルートゥース（登録商標）ノードメッシュ部の目を１つ以上構築させる一斉送信ブルートゥース（登録商標）ノードメッシュ部目構築手段と、を備えるシステムに用いることを特徴とするメッシュ部構成ノード。
【請求項２】
ブルートゥース（登録商標）メッシュネットワークの複数の目を、ブルートゥース（登録商標）通信手段が一斉送信を行う一斉送信ブルートゥース（登録商標）ノードのみで構築させる一斉送信ブルートゥース（登録商標）ノードメッシュ部に、前記一斉送信ブルートゥース（登録商標）ノードの２つの一方が他方を選択し確立される一斉送信ブルートゥース（登録商標）ノードメッシュ部通信路を備えるシステムに用いられ、前記一斉送信ブルートゥース（登録商標）ノードメッシュ部を構成する前記一斉送信ブルートゥース（登録商標）ノードは、前記一斉送信を行い前記一斉送信ブルートゥース（登録商標）ノードメッシュ部の目を１つ以上構築させる一斉送信ブルートゥース（登録商標）ノードメッシュ部目構築過程を含むことを特徴とする方法。
【請求項３】
ブルートゥース（登録商標）メッシュネットワークの複数の目を、ブルートゥース（登録商標）通信手段が一斉送信を行う一斉送信ブルートゥース（登録商標）ノードのみで構築させる一斉送信ブルートゥース（登録商標）ノードメッシュ部に、前記一斉送信ブルートゥース（登録商標）ノードの２つの一方が他方を選択し確立される一斉送信ブルートゥース（登録商標）ノードメッシュ部通信路と、
前記一斉送信ブルートゥース（登録商標）ノードメッシュ部を構成する前記一斉送信ブルートゥース（登録商標）ノード（以降、メッシュ部構成ノードと称する）が前記一斉送信を行い前記一斉送信ブルートゥース（登録商標）ノードメッシュ部の目を１つ以上構築させる一斉送信ブルートゥース（登録商標）ノードメッシュ部目構築手段と、
前記メッシュ部構成ノードへのビーコン送信手段または前記メッシュ部構成ノードからのビーコン受信手段を構成する無線デバイスと、を備えるシステムに用いることを特徴とする無線デバイス。
【請求項４】
プロセッサを、
請求項１に記載のシステムに用いる前記一斉送信ブルートゥース（登録商標）ノードメッシュ部目構築手段として機能させるための制御プログラム。
【請求項５】
請求項１に記載のシステムに用いる前記一斉送信ブルートゥース（登録商標）ノードメッシュ部目構築手段を備えることを特徴とする集積回路。
【手続補正２】
【補正対象書類名】明細書
【補正対象項目名】０００６
【補正方法】変更
【補正の内容】
【０００６】
上記課題を解決するために本発明のシステムは、ブルートゥース（登録商標）メッシュネットワークの複数の目を、ブルートゥース（登録商標）通信手段が一斉送信を行う一斉送信ブルートゥース（登録商標）ノードのみで構築させる一斉送信ブルートゥース（登録商標）ノードメッシュ部に、前記一斉送信ブルートゥース（登録商標）ノードの２つの一方が他方を選択し確立される一斉送信ブルートゥース（登録商標）ノードメッシュ部通信路と、前記一斉送信ブルートゥース（登録商標）ノードメッシュ部を構成する前記一斉送信ブルートゥース（登録商標）ノードが前記一斉送信を行い前記一斉送信ブルートゥース（登録商標）ノードメッシュ部の目を１つ以上構築させる一斉送信ブルートゥース（登録商標）ノードメッシュ部目構築手段と、を備えることを特徴とする。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
ブルートゥース（登録商標）メッシュネットワークの複数の目を、ブルートゥース（登録商標）通信手段が一斉送信を行う一斉送信ブルートゥース（登録商標）ノードのみで構築させる一斉送信ブルートゥース（登録商標）ノードメッシュ部を構成する前記一斉送信ブルートゥース（登録商標）ノードをなし、前記一斉送信ブルートゥース（登録商標）ノードの２つの一方が他方を選択し確立される選択確立通信路を利用する選択確立通信路利用一斉送信ブルートゥース（登録商標）ノードを備え、
前記一斉送信ブルートゥース（登録商標）ノードメッシュ部を構成する前記一斉送信ブルートゥース（登録商標）ノード（以降、メッシュ部構成ノードと称する）が前記一斉送信を行い前記一斉送信ブルートゥース（登録商標）ノードメッシュ部の目を１つ以上構築させる一斉送信ブルートゥース（登録商標）ノードメッシュ部目構築手段を備えるシステムに用いることを特徴とするメッシュ部構成ノード。
【請求項２】
ブルートゥース（登録商標）メッシュネットワークの複数の目を、ブルートゥース（登録商標）通信手段が一斉送信を行う一斉送信ブルートゥース（登録商標）ノードのみで構築させる一斉送信ブルートゥース（登録商標）ノードメッシュ部を構成する前記一斉送信ブルートゥース（登録商標）ノードをなし、前記一斉送信ブルートゥース（登録商標）ノードの２つの一方が他方を選択し確立される選択確立通信路を利用する選択確立通信路利用一斉送信ブルートゥース（登録商標）ノードを備えるシステムに用いられ、前記一斉送信ブルートゥース（登録商標）ノードメッシュ部を構成する前記一斉送信ブルートゥース（登録商標）ノードは、前記一斉送信を行い前記一斉送信ブルートゥース（登録商標）ノードメッシュ部の目を１つ以上構築させる一斉送信ブルートゥース（登録商標）ノードメッシュ部目構築過程を含むことを特徴とする方法。
【請求項３】
ブルートゥース（登録商標）メッシュネットワークの複数の目を、ブルートゥース（登録商標）通信手段が一斉送信を行う一斉送信ブルートゥース（登録商標）ノードのみで構築させる一斉送信ブルートゥース（登録商標）ノードメッシュ部を構成する前記一斉送信ブルートゥース（登録商標）ノードをなし、前記一斉送信ブルートゥース（登録商標）ノードの２つの一方が他方を選択し確立される選択確立通信路を利用する選択確立通信路利用一斉送信ブルートゥース（登録商標）ノードを備え、
前記一斉送信ブルートゥース（登録商標）ノードメッシュ部を構成する前記一斉送信ブルートゥース（登録商標）ノード（以降、メッシュ部構成ノードと称する）が前記一斉送信を行い前記一斉送信ブルートゥース（登録商標）ノードメッシュ部の目を１つ以上構築させる一斉送信ブルートゥース（登録商標）ノードメッシュ部目構築手段と、
前記メッシュ部構成ノードへのビーコン送信手段または前記メッシュ部構成ノードからのビーコン受信手段を構成する無線デバイスと、を備えるシステムに用いることを特徴とする無線デバイス。
【請求項４】
プロセッサを、
請求項１に記載のシステムに用いる前記一斉送信ブルートゥース（登録商標）ノードメッシュ部目構築手段として機能させるための制御プログラム。
【請求項５】
請求項１に記載のシステムに用いる前記一斉送信ブルートゥース（登録商標）ノードメッシュ部目構築手段を備えることを特徴とする集積回路。
【手続補正２】
【補正対象書類名】明細書
【補正対象項目名】０００４
【補正方法】変更
【補正の内容】
【０００４】
ところで、従来の技術は、選択確立通信路利用一斉送信ブルートゥース（登録商標）ノードを備えることができないと言った問題があった。
【手続補正３】
【補正対象書類名】明細書
【補正対象項目名】０００５
【補正方法】変更
【補正の内容】
【０００５】
そこで、本発明の目的は、選択確立通信路利用一斉送信ブルートゥース（登録商標）ノードを備えることができるシステムを提供することにある。
【手続補正４】
【補正対象書類名】明細書
【補正対象項目名】０００６
【補正方法】変更
【補正の内容】
【０００６】
上記課題を解決するために本発明のシステムは、ブルートゥース（登録商標）メッシュネットワークの複数の目を、ブルートゥース（登録商標）通信手段が一斉送信を行う一斉送信ブルートゥース（登録商標）ノードのみで構築させる一斉送信ブルートゥース（登録商標）ノードメッシュ部を構成する前記一斉送信ブルートゥース（登録商標）ノードをなし、前記一斉送信ブルートゥース（登録商標）ノードの２つの一方が他方を選択し確立される選択確立通信路を利用する選択確立通信路利用一斉送信ブルートゥース（登録商標）ノードを備え、前記一斉送信ブルートゥース（登録商標）ノードメッシュ部を構成する前記一斉送信ブルートゥース（登録商標）ノード（以降、メッシュ部構成ノードと称する）が前記一斉送信を行い前記一斉送信ブルートゥース（登録商標）ノードメッシュ部の目を１つ以上構築させる一斉送信ブルートゥース（登録商標）ノードメッシュ部目構築手段を備えることを特徴とする。
【手続補正５】
【補正対象書類名】明細書
【補正対象項目名】０００７
【補正方法】変更
【補正の内容】
【０００７】
本発明によれば、システムは、選択確立通信路利用一斉送信ブルートゥース（登録商標）ノードを備えることができる。
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
ブルートゥース（登録商標）メッシュネットワークの複数の目を、ブルートゥース（登録商標）通信手段が一斉送信を行う一斉送信ブルートゥース（登録商標）ノード（以降、一斉送信ＢＴノードと称する）のみで構築させる一斉送信ＢＴノードメッシュ部を構築させる前記一斉送信ＢＴノードをなし、前記一斉送信ＢＴノードの２つの一方が他方を選択し確立される選択確立通信路を利用する選択確立通信路利用・一斉送信ＢＴノードメッシュ部構築一斉送信ＢＴノードを備え、
前記一斉送信ＢＴノードメッシュ部を構築させる前記一斉送信ＢＴノード（以降、一斉送信ＢＴノードメッシュ部構築一斉送信ＢＴノードと称する）が前記ブルートゥース（登録商標）通信手段により前記一斉送信を行い前記一斉送信ＢＴノードメッシュ部の１つ以上の目を構築させるブルートゥース（登録商標）通信手段一斉送信実施一斉送信ＢＴノードメッシュ部目構築手段を備えるシステムに用いることを特徴とする一斉送信ＢＴノードメッシュ部構築一斉送信ＢＴノード。
【請求項２】
ブルートゥース（登録商標）メッシュネットワークの複数の目を、ブルートゥース（登録商標）通信手段が一斉送信を行う一斉送信ブルートゥース（登録商標）ノード（以降、一斉送信ＢＴノードと称する）のみで構築させる一斉送信ＢＴノードメッシュ部を構築させる前記一斉送信ＢＴノードをなし、前記一斉送信ＢＴノードの２つの一方が他方を選択し確立される選択確立通信路を利用する選択確立通信路利用・一斉送信ＢＴノードメッシュ部構築一斉送信ＢＴノードを備えるシステムに用いる前記一斉送信ＢＴノードメッシュ部を構築させる前記一斉送信ＢＴノードは、前記ブルートゥース（登録商標）通信手段により前記一斉送信を行い前記一斉送信ＢＴノードメッシュ部の１つ以上の目を構築させるブルートゥース（登録商標）通信手段一斉送信実施一斉送信ＢＴノードメッシュ部目構築過程を含むことを特徴とする方法。
【請求項３】
ブルートゥース（登録商標）メッシュネットワークの複数の目を、ブルートゥース（登録商標）通信手段が一斉送信を行う一斉送信ブルートゥース（登録商標）ノード（以降、一斉送信ＢＴノードと称する）のみで構築させる一斉送信ＢＴノードメッシュ部を構築させる前記一斉送信ＢＴノードをなし、前記一斉送信ＢＴノードの２つの一方が他方を選択し確立される選択確立通信路を利用する選択確立通信路利用・一斉送信ＢＴノードメッシュ部構築一斉送信ＢＴノードを備え、
前記一斉送信ＢＴノードメッシュ部を構築させる前記一斉送信ＢＴノード（以降、一斉送信ＢＴノードメッシュ部構築一斉送信ＢＴノードと称する）が前記ブルートゥース（登録商標）通信手段により前記一斉送信を行い前記一斉送信ＢＴノードメッシュ部の１つ以上の目を構築させるブルートゥース（登録商標）通信手段一斉送信実施一斉送信ＢＴノードメッシュ部目構築手段を備え、
前記一斉送信ＢＴノードメッシュ部構築一斉送信ＢＴノードへのビーコン送信手段または前記一斉送信ＢＴノードメッシュ部構築一斉送信ＢＴノードからのビーコン受信手段を構成する無線デバイスを備えるシステムに用いることを特徴とする無線デバイス。
【請求項４】
プロセッサを、
請求項１に記載のシステムに用いる前記ブルートゥース（登録商標）通信手段一斉送信実施一斉送信ＢＴノードメッシュ部目構築手段として機能させるための制御プログラム。
【請求項５】
請求項１に記載のシステムに用いる前記ブルートゥース（登録商標）通信手段一斉送信実施一斉送信ＢＴノードメッシュ部目構築手段を備えることを特徴とする集積回路。
【手続補正２】
【補正対象書類名】明細書
【補正対象項目名】０００４
【補正方法】変更
【補正の内容】
【０００４】
ところで、従来の技術は、一斉送信ＢＴノードメッシュ部を構築させることができないと言った問題があった。
【手続補正３】
【補正対象書類名】明細書
【補正対象項目名】０００５
【補正方法】変更
【補正の内容】
【０００５】
そこで、本発明の目的は、一斉送信ＢＴノードメッシュ部を構築させることができるシステムを提供することにある。
【手続補正４】
【補正対象書類名】明細書
【補正対象項目名】０００６
【補正方法】変更
【補正の内容】
【０００６】
上記課題を解決するため本発明のシステムは、ブルートゥース（登録商標）メッシュネットワークの複数の目を、ブルートゥース（登録商標）通信手段が一斉送信を行う一斉送信ブルートゥース（登録商標）ノード（以降、一斉送信ＢＴノードと称する）のみで構築させる一斉送信ＢＴノードメッシュ部を構築させる前記一斉送信ＢＴノードをなし、前記一斉送信ＢＴノードの２つの一方が他方を選択し確立される選択確立通信路を利用する選択確立通信路利用・一斉送信ＢＴノードメッシュ部構築一斉送信ＢＴノードを備え、
前記一斉送信ＢＴノードメッシュ部を構築させる前記一斉送信ＢＴノードが前記ブルートゥース（登録商標）通信手段により前記一斉送信を行い前記一斉送信ＢＴノードメッシュ部の１つ以上の目を構築させるブルートゥース（登録商標）通信手段一斉送信実施一斉送信ＢＴノードメッシュ部目構築手段を備えることを特徴とする。
【手続補正５】
【補正対象書類名】明細書
【補正対象項目名】０００７
【補正方法】変更
【補正の内容】
【０００７】
本発明によれば、システムは、一斉送信ＢＴノードメッシュ部を構築させることができる。
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
ブルートゥース（登録商標）メッシュネットワークの複数の目を、ブルートゥース（登録商標）通信手段が一斉送信を行う一斉送信ブルートゥース（登録商標）ノード（以降、一斉送信ＢＴノードと称する）のみで構築させる一斉送信ＢＴノードメッシュ部を構築させる前記一斉送信ＢＴノードである一斉送信ＢＴノードメッシュ部構築一斉送信ＢＴノードをなし、前記一斉送信ＢＴノードの２つの一方が他方を選択し確立される選択確立通信路を利用する選択確立通信路利用・一斉送信ＢＴノードメッシュ部構築一斉送信ＢＴノードを備え、
前記一斉送信ＢＴノードメッシュ部構築一斉送信ＢＴノードが前記ブルートゥース（登録商標）通信手段により前記一斉送信を行い前記一斉送信ＢＴノードメッシュ部の１つ以上の目を構築させるブルートゥース（登録商標）通信手段一斉送信実施一斉送信ＢＴノードメッシュ部目構築手段を備えるシステムに用いることを特徴とする一斉送信ＢＴノードメッシュ部構築一斉送信ＢＴノード。
【請求項２】
ブルートゥース（登録商標）メッシュネットワークの複数の目を、ブルートゥース（登録商標）通信手段が一斉送信を行う一斉送信ブルートゥース（登録商標）ノード（以降、一斉送信ＢＴノードと称する）のみで構築させる一斉送信ＢＴノードメッシュ部を構築させる前記一斉送信ＢＴノードである一斉送信ＢＴノードメッシュ部構築一斉送信ＢＴノードをなし、前記一斉送信ＢＴノードの２つの一方が他方を選択し確立される選択確立通信路を利用する選択確立通信路利用・一斉送信ＢＴノードメッシュ部構築一斉送信ＢＴノードを備えるシステムに用いる一斉送信ＢＴノードメッシュ部構築一斉送信ＢＴノードは、前記ブルートゥース（登録商標）通信手段により前記一斉送信を行い前記一斉送信ＢＴノードメッシュ部の１つ以上の目を構築させるブルートゥース（登録商標）通信手段一斉送信実施一斉送信ＢＴノードメッシュ部目構築過程を含むことを特徴とする方法。
【請求項３】
ブルートゥース（登録商標）メッシュネットワークの複数の目を、ブルートゥース（登録商標）通信手段が一斉送信を行う一斉送信ブルートゥース（登録商標）ノード（以降、一斉送信ＢＴノードと称する）のみで構築させる一斉送信ＢＴノードメッシュ部を構築させる前記一斉送信ＢＴノードである一斉送信ＢＴノードメッシュ部構築一斉送信ＢＴノードをなし、前記一斉送信ＢＴノードの２つの一方が他方を選択し確立される選択確立通信路を利用する選択確立通信路利用・一斉送信ＢＴノードメッシュ部構築一斉送信ＢＴノードを備え、
前記一斉送信ＢＴノードメッシュ部構築一斉送信ＢＴノードが前記ブルートゥース（登録商標）通信手段により前記一斉送信を行い前記一斉送信ＢＴノードメッシュ部の１つ以上の目を構築させるブルートゥース（登録商標）通信手段一斉送信実施一斉送信ＢＴノードメッシュ部目構築手段を備え、
前記一斉送信ＢＴノードメッシュ部構築一斉送信ＢＴノードへのビーコン送信手段または前記一斉送信ＢＴノードメッシュ部構築一斉送信ＢＴノードからのビーコン受信手段を構成する無線デバイスを備えるシステムに用いることを特徴とする無線デバイス。
【請求項４】
プロセッサを、
請求項１に記載のシステムに用いる前記ブルートゥース（登録商標）通信手段一斉送信実施一斉送信ＢＴノードメッシュ部目構築手段として機能させるための制御プログラム。
【請求項５】
請求項１に記載のシステムに用いる前記ブルートゥース（登録商標）通信手段一斉送信実施一斉送信ＢＴノードメッシュ部目構築手段を備えることを特徴とする集積回路。
【手続補正２】
【補正対象書類名】明細書
【補正対象項目名】０００６
【補正方法】変更
【補正の内容】
【０００６】
上記課題を解決するために本発明のシステムは、ブルートゥース（登録商標）メッシュネットワークの複数の目を、ブルートゥース（登録商標）通信手段が一斉送信を行う一斉送信ブルートゥース（登録商標）ノード（以降、一斉送信ＢＴノードと称する）のみで構築させる一斉送信ＢＴノードメッシュ部を構築させる前記一斉送信ＢＴノードである一斉送信ＢＴノードメッシュ部構築一斉送信ＢＴノードをなし、前記一斉送信ＢＴノードの２つの一方が他方を選択し確立される選択確立通信路を利用する選択確立通信路利用・一斉送信ＢＴノードメッシュ部構築一斉送信ＢＴノードを備え、前記一斉送信ＢＴノードメッシュ部構築一斉送信ＢＴノードが前記ブルートゥース（登録商標）通信手段により前記一斉送信を行い前記一斉送信ＢＴノードメッシュ部の１つ以上の目を構築させるブルートゥース（登録商標）通信手段一斉送信実施一斉送信ＢＴノードメッシュ部目構築手段を備えることを特徴とする。
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
ブルートゥース（登録商標。以降、ＢＴと称する）メッシュネットワークの複数の目であるＢＴメッシュ部を、ＢＴ通信手段が無線一斉送信を行う無線一斉送信ＢＴノードのみで構築させた無線一斉送信ＢＴノードのみ構築ＢＴメッシュ部を構築させる前記無線一斉送信ＢＴノードである無線一斉送信ＢＴノードのみ構築ＢＴメッシュ部構築無線一斉送信ＢＴノードをなし、前記無線一斉送信ＢＴノードの２つの一方が他方を選択し確立される選択確立通信路を利用する選択確立通信路利用・無線一斉送信ＢＴノードのみ構築ＢＴメッシュ部構築無線一斉送信ＢＴノードを備え、
前記無線一斉送信ＢＴノードのみ構築ＢＴメッシュ部構築無線一斉送信ＢＴノードが前記ＢＴ通信手段により前記無線一斉送信を行い前記無線一斉送信ＢＴノードのみ構築ＢＴメッシュ部の１つ以上の目を構築させるＢＴ通信手段無線一斉送信実施無線一斉送信ＢＴノードのみ構築ＢＴメッシュ部目構築手段を備えるシステムに用いることを特徴とする無線一斉送信ＢＴノードのみ構築ＢＴメッシュ部構築無線一斉送信ＢＴノード。
【請求項２】
ブルートゥース（登録商標。以降、ＢＴと称する）メッシュネットワークの複数の目であるＢＴメッシュ部を、ＢＴ通信手段が無線一斉送信を行う無線一斉送信ＢＴノードのみで構築させた無線一斉送信ＢＴノードのみ構築ＢＴメッシュ部を構築させる前記無線一斉送信ＢＴノードである無線一斉送信ＢＴノードのみ構築ＢＴメッシュ部構築無線一斉送信ＢＴノードをなし、前記無線一斉送信ＢＴノードの２つの一方が他方を選択し確立される選択確立通信路を利用する選択確立通信路利用・無線一斉送信ＢＴノードのみ構築ＢＴメッシュ部構築無線一斉送信ＢＴノードを備えるシステムに用いる無線一斉送信ＢＴノードのみ構築ＢＴメッシュ部構築無線一斉送信ＢＴノードは、前記ＢＴ通信手段により前記無線一斉送信を行い前記無線一斉送信ＢＴノードのみ構築ＢＴメッシュ部の１つ以上の目を構築させるＢＴ通信手段無線一斉送信実施無線一斉送信ＢＴノードのみ構築ＢＴメッシュ部目構築過程を含むことを特徴とする方法。
【請求項３】
ブルートゥース（登録商標。以降、ＢＴと称する）メッシュネットワークの複数の目であるＢＴメッシュ部を、ＢＴ通信手段が無線一斉送信を行う無線一斉送信ＢＴノードのみで構築させた無線一斉送信ＢＴノードのみ構築ＢＴメッシュ部を構築させる前記無線一斉送信ＢＴノードである無線一斉送信ＢＴノードのみ構築ＢＴメッシュ部構築無線一斉送信ＢＴノードをなし、前記無線一斉送信ＢＴノードの２つの一方が他方を選択し確立される選択確立通信路を利用する選択確立通信路利用・無線一斉送信ＢＴノードのみ構築ＢＴメッシュ部構築無線一斉送信ＢＴノードを備え、
前記無線一斉送信ＢＴノードのみ構築ＢＴメッシュ部構築無線一斉送信ＢＴノードが前記ＢＴ通信手段により前記無線一斉送信を行い前記無線一斉送信ＢＴノードのみ構築ＢＴメッシュ部の１つ以上の目を構築させるＢＴ通信手段無線一斉送信実施無線一斉送信ＢＴノードのみ構築ＢＴメッシュ部目構築手段を備え、
前記無線一斉送信ＢＴノードのみ構築ＢＴメッシュ部構築無線一斉送信ＢＴノードへのビーコン送信手段または前記無線一斉送信ＢＴノードのみ構築ＢＴメッシュ部構築無線一斉送信ＢＴノードからのビーコン受信手段を構成する無線デバイスを備えるシステムに用いることを特徴とする無線デバイス。
【請求項４】
プロセッサを、
請求項１に記載のシステムに用いる前記ＢＴ通信手段無線一斉送信実施無線一斉送信ＢＴノードのみ構築ＢＴメッシュ部目構築手段として機能させるための制御プログラム。
【請求項５】
請求項１に記載のシステムに用いる前記ＢＴ通信手段無線一斉送信実施無線一斉送信ＢＴノードのみ構築ＢＴメッシュ部目構築手段を備えることを特徴とする集積回路。
【手続補正２】
【補正対象書類名】明細書
【補正対象項目名】０００４
【補正方法】変更
【補正の内容】
【０００４】
ところで、従来の技術は、無線一斉送信ＢＴノードのみ構築ＢＴメッシュ部を構築させることができないと言った問題があった。
【手続補正３】
【補正対象書類名】明細書
【補正対象項目名】０００５
【補正方法】変更
【補正の内容】
【０００５】
そこで、本発明の目的は、無線一斉送信ＢＴノードのみ構築ＢＴメッシュ部を構築させることができるシステムを提供することにある。
【手続補正４】
【補正対象書類名】明細書
【補正対象項目名】０００６
【補正方法】変更
【補正の内容】
【０００６】
上記課題を解決するために本発明のシステムは、ブルートゥース（登録商標。以降、ＢＴと称する）メッシュネットワークの複数の目であるＢＴメッシュ部を、ＢＴ通信手段が無線一斉送信を行う無線一斉送信ＢＴノードのみで構築させた無線一斉送信ＢＴノードのみ構築ＢＴメッシュ部を構築させる前記無線一斉送信ＢＴノードである無線一斉送信ＢＴノードのみ構築ＢＴメッシュ部構築無線一斉送信ＢＴノードをなし、前記無線一斉送信ＢＴノードの２つの一方が他方を選択し確立される選択確立通信路を利用する選択確立通信路利用・無線一斉送信ＢＴノードのみ構築ＢＴメッシュ部構築無線一斉送信ＢＴノードを備え、前記無線一斉送信ＢＴノードのみ構築ＢＴメッシュ部構築無線一斉送信ＢＴノードが前記ＢＴ通信手段により前記無線一斉送信を行い前記無線一斉送信ＢＴノードのみ構築ＢＴメッシュ部の１つ以上の目を構築させるＢＴ通信手段無線一斉送信実施無線一斉送信ＢＴノードのみ構築ＢＴメッシュ部目構築手段を備えることを特徴とする。
【手続補正５】
【補正対象書類名】明細書
【補正対象項目名】０００７
【補正方法】変更
【補正の内容】
【０００７】
本発明によれば、システムは、無線一斉送信ＢＴノードのみ構築ＢＴメッシュ部を構築させることができる。